(57)【要約】【課題】搭状建造物の頂部構造体内部に籠もった塩分を有し或いは湿度の高い空気を、頂部構造体の周囲から内部に空気を送り込むことで排出でき、既存の搭状建造物の頂部構造体に付加することが可能な換気用付加装置を提供する。【解決手段】換気用付加装置１は、空気を導入口３４から導入する受風部３と、受風部３に導入された空気を送出口４４から送出する送風部４とで構成される換気用付加装置本体２と、頂部構造体１０２に連結具１０にて取り付けられる上側取付具７と、上側取付具７及び換気用付加装置本体２の双方に連結具８、９を介して揺動可能に取り付けられている下側取付具６とにより構成される取付機構５とを備え、下側取付具６を上側取付具７に対し連結具９を中心として揺動させ、換気用付加装置本体２を下側取付具６に対し連結具８を中心として揺動させることにより、受風部３の導入口３４から導入した空気を送風部４の送出口４４から送出させる角度を調整できる。【選択図】図６
2014228187.tif 000002
【特許請求の範囲】
【請求項１】
搭状建造物の頂部に対しその下方に配置して、前記搭状建造物の頂部内を換気するための換気用付加装置であって、
前記搭状建造物の頂部の周囲を流れる空気を導入口から導入するための受風部と、前記受風部に導入された空気を送出口から前記搭状建造物の頂部内に送出するための送風部とで構成される換気用付加装置本体と、
前記搭状建造物の頂部に取り付けられる第１の取付具と、前記第１の取付具及び前記換気用付加装置本体の双方に連結具を介して揺動可能に取り付けられている第２の取付具とにより構成される取付機構とを備え、
前記第２の取付具を前記第１の取付具に対し前記連結具を中心として揺動させ、前記換気用付加装置本体を前記第２の取付具に対し前記連結具を中心として揺動させることにより、前記換気用付加装置本体の前記導入口から導入された空気を前記送出口から送出させる角度を可変することができることを特徴とする搭状建造物の頂部の換気用付加装置。
【請求項２】
前記受風部と前記送風部とは別の部材により構成され、前記第２の取付具と前記受風部と前記送風部とは、前記連結具を介してそれぞれ揺動可能に取り付けられていることを特徴とする請求項１に記載の搭状建造物の頂部の換気用付加装置。  
【請求項３】
前記送風部は、前記受風部から流れてきた空気を拡散、集束又は分散させて送出口から前記搭状建造物の頂部内に送出することができることを特徴とする請求項１又は請求項２に記載の搭状建造物の頂部の換気用付加装置。  
【請求項４】
前記受風部は、前記導入口から導入された空気を前記送風部に案内するためのガイド板を有し、前記ガイド板の表面は光を反射させることができることを特徴とする請求項１、請求項２又は請求項３のいずれかに記載の搭状建造物の頂部の換気用付加装置。
【発明の詳細な説明】
【技術分野】
【０００１】
この発明は、送電鉄塔等の搭状建造物の頂部、特に閉塞的な頂部構造体の内部に籠もった塩分を有する空気や湿度の高い空気を好適に排除することができ、且つ頂部構造体に対し後から付加することができる換気装置に関する。
【背景技術】
【０００２】
この種の送電鉄塔の頂部において、例えば特許文献１や特許文献２に示されるように、送電線への落雷の直撃を防止するために、代わりに落雷を受ける架空地線が設けられている。そして、架空地線は、前記特許文献１や特許文献２に示されるように、送電鉄塔の頂部に取り付けられた頂部構造体の上側面に固定されており、この頂部構造体は、上側面を有する頂板と、頂板の全ての周縁から下方に向けて延びる側板とで、断面が略逆Ｕ字状に構成されており、下方にのみ開放された閉塞的な構造となっている。
【０００３】
このため、所定の送電鉄塔設置環境、例えば送電鉄塔が海塩の影響を受けやすい海岸線付近や、湿気の発生しやすい河川、池沼、田園地帯等と言った送電鉄塔設置環境では、頂部構造体内に、塩分を有する空気や湿度の高い空気が籠もって、頂部構造体に対し錆等の腐食を生じさせて強度を低下させ、ひいては送電鉄塔の頂部構造体やその他の部位の破損を招くおそれがある。更には、送電鉄塔の崩壊等による停電の懸念もある。
【０００４】
ここで、上記不具合を防止するために、特許文献３に示されるように、送電鉄塔の頂部構造体の内側面等に防食塗装をすることが一般的であるが、上記した設置環境にある送電鉄塔では、同じ管理区にある他の送電鉄塔よりも腐食の進行が速いので、同じ管理区にある送電鉄塔に対し一斉の塗装計画の下で同じ周期で塗装をする時には、送電鉄塔の頂部構造体の腐食が既に進みすぎてしまっており、送電鉄塔の頂部構造体の取り替えが必要となることが考えられるので、防食塗装だけでは限界がある。
【０００５】
この点、前記特許文献２では、その特許文献２の図２及び図３に示されるように、頂板の幅を小さくして頂板の両側を上下方向に通過する空気の流路を形成したり、側板の上側部位を切り欠いて側板と頂板との間を前後又は左右方向に通過する空気の流路を形成したり、側板の下側部位を切り欠いて側板の下方を左右又は前後方向に通過する空気の流路を形成したりして、頂部構造体内における空気の流れを良くすることで、塩分を有する空気や湿度の高い空気が頂部構造体内に籠もるのを防止する送電鉄塔頂部構造に係る発明が開示されている。
【先行技術文献】
【特許文献】
【０００６】
【特許文献１】特開２００７−２６７４７５号公報
【特許文献２】特開２０１２−５０２１４号公報
【特許文献３】特開２００７−６１７６０号公報
【発明の概要】
【発明が解決しようとする課題】
【０００７】
もっとも、特許文献２に示される送電鉄塔頂部構造に係る発明は、送電鉄塔の頂部構造体の構造自体を改変するものであるから、これから新規に架空地線を設ける送電鉄塔には用いることができるが、設置済みの既存の送電鉄塔頂部の頂部構造体に対し後から付加的に用いることはできず、送電鉄塔頂部の頂部構造体を取り替える必要が生ずるので、多大なコストや長期の取り替え時間が発生する。
【０００８】
そこで、本発明は、送電鉄塔等の搭状建造物の頂部、特に閉塞的な頂部構造体の内部に籠もった塩分を有し或いは湿度の高い空気を、頂部構造体の周囲から頂部構造体の内部に空気を送り込むことで排出することができ、しかも既存の搭状建造物の頂部構造体に後から付加することが可能な搭状建造物の頂部の換気用付加装置を提供することを目的とする。
【課題を解決するための手段】
【０００９】
この発明に係る搭状建造物の頂部の換気用付加装置は、搭状建造物の頂部に対しその下方に配置して、前記搭状建造物の頂部内を換気するための換気用付加装置であって、前記搭状建造物の頂部の周囲を流れる空気を導入口から導入するための受風部と、前記受風部に導入された空気を送出口から前記搭状建造物の頂部内に送出するための送風部とで構成される換気用付加装置本体と、前記搭状建造物の頂部に取り付けられる第１の取付具と、前記第１の取付具及び前記換気用付加装置本体の双方に連結具を介して揺動可能に取り付けられている第２の取付具とにより構成される取付機構とを備え、前記第２の取付具を前記第１の取付具に対し前記連結具を中心として揺動させ、前記換気用付加装置本体を前記第２の取付具に対し前記連結具を中心として揺動させることにより、前記換気用付加装置本体の前記導入口から導入された空気を前記送出口から送出させる角度を可変することができることを特徴としている（請求項１）。ここで、搭状建造物は、例えば送電鉄塔である。また、頂部は、搭状建造物が送電鉄塔である場合には、架空地線が固定される頂板等から成る頂部構造体である。
【００１０】
これにより、搭状建造物の頂部の換気用付加装置を、搭状建造物の頂部に対しその下方に配置することで、搭状建造物の頂部の周囲を流れる空気が導入口から受風部に導入され、受風部に導入された空気は受風部に連なる送風部を通って送風部の送出口から搭状建造物の頂部内に送出されて、塩分を有する空気や湿度の高い空気が搭状建造物の頂部内から排出されるので、塩分を有する空気や湿度の高い空気が搭状建造物の頂部内に籠もることがなくなる。
【００１１】
そして、搭状建造物の頂部の換気用付加装置は、搭状建造物の頂部に取付機構を介して取り付けられるので、既設の搭状建造物であってもその頂部に搭状建造物の頂部の換気用付加装置を事後的に付加させることができる。
【００１２】
更に、搭状建造物の頂部の換気用付加装置は、取付機構が搭状建造物の頂部に取り付けられる第１の取付具と、第１の取付具及び換気用付加装置本体の双方に連結具を介して揺動可能に取り付けられている第２の取付具とにより構成されて、第２の取付具を第１の取付具に対し連結具を中心として揺動させ、及び／又は換気用付加装置本体を第２の取付具に対し連結具を中心として揺動させることにより、換気用付加装置本体の導入口から導入された空気を送出口から送出させる角度を可変することができるので、送風部の送出口から搭状建造物の頂部内に送出される空気の送出方向も最適化することが可能となる。
【００１３】
また、この発明に係る搭状建造物の頂部の換気用付加装置は、前記受風部と前記送風部とは別の部材により構成され、前記第２の取付具と前記受風部と前記送風部とは、前記連結具を介してそれぞれ揺動可能に取り付けられていることを特徴としている（請求項２）。
【００１４】
これにより、受風部における導入口から導入された空気の受風部内を流れる角度を相対的に緩やかにし、送風部における送出口から送出される空気の送出角度を相対的に急にすることで、搭状建造物の頂部の周囲の風を導入口から受風部内に取り込みしやすくすることができると共に、受風部から送風部に送られた風は上方に向けて流れる角度が急になって、送出口から搭状建造物の頂部内に向けて送出されるので搭状建造物の頂部内の深い箇所まで風を届かせることができる。
【００１５】
更に、この発明に係る搭状建造物の頂部の換気用付加装置では、前記送風部は、前記受風部から流れてきた空気を拡散、集束又は分散させて送出口から前記搭状建造物の頂部内に送出することができることを特徴としている（請求項３）。
【００１６】
これにより、送風部の送出口から搭状建造物の頂部内に送出される空気について、広く分散させたり、狭く分散させたり、反対に集束させたり、或いは複数の送出口から送出させたりすることができるので、搭状建造物の頂部の構造や換気用付加装置の設置状況に応じて、送風部の送出口から搭状建造物の頂部内に送出される空気の送出面積や分布を最適化することが可能となる。
【００１７】
そして、この発明に係る搭状建造物の頂部の換気用付加装置では、前記受風部は、前記導入口から導入された空気を前記送風部に案内するためのガイド板を有し、前記ガイド板の表面は光を反射させることができることを特徴としている（請求項４）。ガイド板の表面が光を反射させることができるようにするために、例えばミラーシールがガイド板の表面に貼り付けられている。そして、ガイド板の表面で反射する光はガイド板のミラー状の表面に凹凸を複数且つ不規則に形成等することにより乱反射するものとしても良い。
【００１８】
これにより、鳥はガイド板で反射する光、特に乱反射する光を嫌って搭状建造物の頂部に近づかないので、搭状建造物の頂部に鳥が営巣等することによる鳥害の発生を防止することができる。また、受風部ガイド板のミラー状の表面で反射した太陽光等の光が搭状建造物の頂部内に入射することで、搭状建造物の頂部内の空気が温められる。
【発明の効果】
【００１９】
以上のように、本発明によれば、搭状建造物の頂部の換気用付加装置を、搭状建造物の頂部に対しその下方に配置することで、搭状建造物の頂部の周囲を流れる空気が導入口から受風部に導入され、受風部に導入された空気は受風部に連なる送風部を通って送風部の送出口から搭状建造物の頂部内に送出されて、塩分を有する空気や湿度の高い空気が搭状建造物の頂部内から排出されるため、塩分を有する空気や湿度の高い空気が搭状建造物の頂部内に籠もることがなくなるので、搭状建造物の頂部内が腐食するのを防止することが可能となる。
【００２０】
また、本発明によれば、搭状建造物の頂部の換気用付加装置は、搭状建造物の頂部に取付機構を介して取り付けられるため、既設の搭状建造物であってもその頂部に搭状建造物の頂部の換気用付加装置を事後的に付加させることができるので、搭状建造物の頂部自体を改変する場合よりもコストの削減や所要時間の短縮を図ることが可能である。
【００２１】
更に、本発明によれば、換気用付加装置の取付機構を、搭状建造物の頂部に取り付けられる第１の取付具と、第１の取付具及び換気用付加装置本体の双方に連結具を介して揺動可能に取り付けられている第２の取付具とにより構成して、第２の取付具を第１の取付具に対し連結具を中心として揺動させ、及び／又は換気用付加装置本体を第２の取付具に対し連結具を中心として揺動可能とすることで、換気用付加装置本体の導入口から導入された空気を送出口から送出させる角度を可変することができるので、送風部の送出口から搭状建造物の頂部内に送出される空気の送出方向も最適化することが可能である。
【００２２】
特に請求項２に記載の発明によれば、受風部と送風部とを個別に揺動させて、導入口から受風部内に導入された風の上方に向けて流れる角度と受風部から送られて来た風の送風部内を通って送出口から送出される角度とを別々に変えることが可能である。よって、受風部における導入口から導入された空気の受風部内を流れる角度を相対的に緩やかにし、送風部における送出口から送出される空気の送出角度を相対的に急にして、搭状建造物の頂部の周囲の風を導入口から受風部内に取り込みしやすくすると共に、受風部から送風部に送られた風は上方に向けて流れる角度が急になって、送出口から搭状建造物の頂部内に向けて送出されるので搭状建造物の頂部内の深い箇所まで風を届かせることができる。
【００２３】
特に請求項３に記載の発明によれば、送風部の送出口から搭状建造物の頂部内に送出される空気について、広く分散させたり、狭く分散させたり、反対に集束させたり、或いは複数の送出口から送出させたりすることができるので、搭状建造物の頂部の構造や換気用付加装置の設置状況に応じて、送風部の送出口から搭状建造物の頂部内に送出される空気の送出面積や分布を最適化することが可能である。
【００２４】
特に請求項４に記載の発明によれば、鳥がガイド板で反射する光、特に乱反射する光を嫌って搭状建造物の頂部に近づかないので、搭状建造物の頂部に鳥が営巣等することによる鳥害の発生を防止することが可能である。また、受風部ガイド板のミラー状の表面で反射した太陽光等の光が搭状建造物の頂部内に入射することで、搭状建造物の頂部内の空気が温められて、搭状建造物の頂部内の空気の湿度を下げることもできる。
【図面の簡単な説明】
【００２５】
【図１】図１（ａ）は、送電鉄塔の頂部に設けられた頂部構造体に換気用付加装置が取り付けられた状態を示す概略図であり、図１（ｂ）は、図１（ａ）に示される頂部構造体が３つの板状部材で構成されていることを示す展開図である。
【図２】図２は、図１（ａ）に示される換気用付加装置を構成する換気用付加装置本体の受風部の構成を示す説明図であり、図２（ａ）は、前記受風部の平面図を示し、図２（ｂ）は、前記受風部の上面図を示し、図２（ｃ）は、前記受風部の底面図を示し、図２（ｄ）は、前記受風部の側面図を示している。
【図３】図３は、図１（ａ）に示される換気用付加装置を構成する換気用付加装置本体の送風部の構成を示す説明図であり、図３（ａ）は、前記送風部の平面図を示し、図３（ｂ）は、前記送風部の上面図を示し、図３（ｃ）は、前記送風部の底面図を示し、図３（ｄ）は、前記送風部の側面図を示している。
【図４】図４は、図１（ａ）に示される換気用付加装置を構成する取付機構の下側取付具の構成を示す説明図であり、図４（ａ）は、前記下側取付具の平面図を示し、図４（ｂ）は、前記下側取付具の上面図を示し、図４（ｃ）は、前記下側取付具の底面図を示し、図４（ｄ）は、前記下側取付具の側面図を示している。
【図５】図５は、図１（ａ）に示される換気用付加装置を構成する取付機構の上側取付具の構成を示す説明図であり、図５（ａ）は、前記上側取付具の平面図を示し、図５（ｂ）は、前記上側取付具の上面図を示し、図５（ｃ）は、前記上側取付具の底面図を示し、図５（ｄ）は、前記上側取付具の側面図を示している。
【図６】図６は、図１（ａ）に示される換気用付加装置の全体構成を示す説明図であり、図６（ａ）は、前記換気用付加装置の平面図を示し、図６（ｂ）は、前記換気用付加装置の上面図を示し、図６（ｃ）は、前記換気用付加装置の底面図を示し、図６（ｄ）は、前記換気用付加装置の側面図を示している。
【図７】図７（ａ）は、換気用付加装置本体の全体が下側取付具と連結するボルトを中心として揺動可能であることを示す説明図であり、図７（ｂ）は、換気用付加装置本体の送風部のみでも下側取付具と連結するボルトを中心として揺動可能であることを示す説明図であり、図７（ｃ）は、図７（ｂ）に示される換気用付加装置の部分断面図であると共に受風部から送風部を経て送出される風の流れを示す説明である。
【図８】図８は、換気用付加装置本体の全体が上側取付部材と下側取部材とを連結するボルトを中心として揺動可能であることを示す説明図である。
【図９】図９は、送風部のバリエーションを示しており、図９（ａ）は、送出口から送出させる風を広く拡散させるためのものであり、図９（ｂ）は、送出口から送出させる風を少しだけ拡散させるためのものであり、図９（ｃ）は、送出口から送出させる風を集束させるためのものであり、図９（ｄ）は、送出口から送出させる風を分散させるためのものである。
【発明を実施するための形態】
【００２６】
以下、この発明の実施形態を図面に基づいて説明する。
【００２７】
図１において、送電鉄塔１００の頂部１０１と、この頂部１０１に取り付けられる頂部構造体１０２とが示されている。頂部構造体１０２は公知のものであるが、図１（ａ）及び図１（ｂ）を用いて説明すると、図示しない架空地線を固定するためのもので、この実施例では図１（ｂ）に示されるように３つの板状部材１０３、１０４、１０５で形成されている。
【００２８】
板状部材１０３は、図１（ｂ）に示す破線に沿って山折りに折り曲げることにより、下方に開いた略逆Ｕ字状の折り曲げ板となるもので、頂板部１０３ａと、側板部１０３ｂ、１０３ｃを有している。そして、このように頂板部１０３ａ、側板部１０３ｂ、及び１０３ｃを有してなる折り曲げ板状の板状部材１０３は、台形状の板状部材１０４、１０５と接合することにより、下方に開口を有する略ボックス状の頂部構造体１０２となる。頂部構造体１０２は、送電鉄塔１００の頂部１０１に例えば頂板部１０３ａを被せるかたちで装着されるもので、図示しないが送電鉄塔１００にビスやボルト等の固定具を介して固定される。
【００２９】
本発明の換気用付加装置１は、図１（ａ）に示されるように、頂部構造体１０２の板状部材１０３の側板部１０３ｂ、１０３ｃの下端、板状部材１０４の下端又は板状部材１０５の下端（図１（ａ）上では板状部材１０５の下端）に付加されるもので、図２から図６に示されるように、換気用付加装置本体２と取付機構５とを備えている。
【００３０】
このうち、換気用付加装置本体２は、図２、図６に示される受風部３と図３、図６に示される送風部４とで基本的に構成されており、この実施例では受風部３と送風部４とは別体の部材となっている。
【００３１】
受風部３は、図２に示されるように、ガイド板３１と、ガイド板３１の側縁からそれぞれ立設接した側板３２、３３とで構成されている。ガイド板３１は、凹凸のない平板状のもので、図２（ｂ）に示されるように、徐々にその幅が狭まる台形状の上流側部位３１ａと、上流側部位３１ａに連なると共に上流側部位３１ａの最も狭い幅と同じ幅の長方形状をなす下流側部位３１ｂとで形成されている。側板３２、３３は、この実施例ではガイド板３１から垂直に立設し、上流側部位３１ａの側縁では相互に徐々に近接し、下流側部位３１ｂの側縁では平行になるように延出している。そして、このような構成により、受風部３は、ガイド板３１の上流側部位３１ａの開放端に導入口３４を備え、ガイド板３１の下流側部位３１ｂの開放端に連接口３５を備えたものとなっている。
【００３２】
また、側板３２、３３の下流側部位３１ｂの側縁から立設した部位には、図２（ｄ）では側板３３しか示されていないが、いずれも円状の連通孔３６が穿たれている。かかる連通孔３６は螺子孔としても良い。更に、この実施例では、受風部３のガイド板３１のうち上流側部位３１ａの空気が通過する側の表面に光を反射させるための手段としてミラーシール３７が貼られている。ミラーシール３７は、光を単純に反射させるものであっても、光を乱反射させるものであっても良く、鳥害対策や頂部構造体１０２内への太陽光の入射等、目的によって使い分ける。そして、ミラーシール３７の代わりに通常の鏡を埋め込む等して反射面を適宜配置しても良い。
【００３３】
送風部４は、図３に示されるように、ガイド板４１と、ガイド板４１の側縁からそれぞれ立設接した側板４２、４３とで構成されている。ガイド板３１は、凹凸のない平板状のもので、この実施例では、図３（ｂ）に示されるように、上流側と下流側とで同じ幅の長方形状となっている。側板３２、３３は、この実施例ではガイド板３１から垂直に立設し、上流側から下流側にわたって平行になるように延出している。もっとも、ガイド板３１及び側板３２、３３の形状は、図３（ｂ）に示されるものに限定されないが、他の形状については後述する。そして、このような構成により、送風部４は、ガイド板４１の下流側の開放端に送出口４４を備え、ガイド板４１の上流側の開放端に連接口４５を備えたものとなっている。
【００３４】
また、側板４２、４３のガイド板４１の側縁から立設した部位には、図３（ｄ）では側板３３しか示されていないが、いずれも円状の連通孔４６が穿たれている。かかる連通孔４６は、送風部４の上流側部位と受風部３の下流側部位とを適宜に組み合わせたときに受風部３の連通孔３６と連通するもので、螺子孔としても良い。
【００３５】
そして、この実施例では、送風部４の上流側部位に受風部３の下流側部位の一部が差し込まれるかたちで組み合わされるように、図３（ａ）に示される送風部４の連接口４５側の部位における側板４２の内面から側板４３の内面までの寸法Ｌ２は、図２（ａ）に示される受風部３の連接口３５側の部位における側板３２の外面から側板３３の外面までの寸法Ｌ１と同じか若干大きくなっている。
【００３６】
取付機構５は、図４、図６に示される下側取付具６と図５、図６に示される上側取付具７とで基本的に構成されており、この実施例では上側取付具７が下側取付具６の上方に位置するかたちで取付具６、７同士が連結されていると共に、上側取付具７は頂部構造体１０２に取り付けられ、下側取付具６は換気用付加装置本体２の受風部３及び送風部４の双方が取り付けられている。
【００３７】
下側取付具６は、図４に示されるように、２つの立板６１、６２と、立板６１と立板６２とを連接する連接板６３とで成るもので、それぞれ凹凸のない平坦な長方形の板状をなしている。そして、この実施例では、立板６１と連接板６３及び立板６２と連接板６３とは直角に連接されて、下側取付具６の全体形状は略コ字状となっている。
【００３８】
下側取付具６の立板６１、６２の連接板６３とは反対側端近傍には、図４（ｄ）では立板６２しか示されていないが、いずれも円状の連通孔６４が穿たれている。かかる連通孔６４は、受風部３及び送風部４と適宜に組み合わせたときに受風部３の連通孔３６、送風部４の連通孔４６と連通するもので、螺子孔としても良い。
【００３９】
また、連接板６３は、図４（ｂ）及び図４（ｃ）に示されるように、立板６１と立板６２との中間となる位置に連通孔６５が形成されており、この連通孔６５は螺子孔としても良い。
【００４０】
更に、この実施例では、受風部３及び送風部４を適宜に組み合わせた換気用付加装置本体２に対し、送風部４の更に外側から下側取付具６を取り付けられるように、図４（ａ）に示される下側取付具６の立板６１の内面から立板６２の内面までの寸法Ｌ４は、図３（ａ）に示される送風部４の連接口４５側の部位における側板４２の外面から側板４３の外面までの寸法Ｌ３と同じか若干大きくなっている。
【００４１】
上側取付具７は、図５に示されるように、台座７１と、台座７１の側縁部位から上方に延出した延出部７２とで成り、台座７１は、板状のもので、下側取付具６側となる底面が凹凸のない平坦面となっており、下側取付具６の連接板６３の上面に密接させることができる。そして、台座７１の横幅方向の中央には、図５（ｂ）及び図５（ｄ）に示されるように連通孔７３が穿たれており、台座７１と連接板６３とが適宜に接した状態で、台座７１の連通孔７３は連接板６３の連通孔６５と連通することができるようになっている。台座７１の連通孔７３は螺子孔としても良い。
【００４２】
延出部７２は、この実施例では、図５（ｄ）に示されるように、台座７１に対し垂直方向に延出しているもので、その延出方向の先端側には延出部７２の台座７１側の面から２段階に折れ曲がりつつ延出することでＬ字状に分岐した分岐部７２ａを有している。分岐部７２ａの内面と延出部７２の台座７１側面との間隔は、図７や図８にも示されるように、頂部構造体１０２の板状部材１０３の側板部１０３ｂ、１０３ｃ、板状部材１０４、板状部材１０５の厚みと同じか若干小さくなっており、延出部７２と分岐部７２ａとで頂部構造体１０２の板状部材１０３の側板部１０３ｂ、１０３ｃ、板状部材１０４、板状部材１０５をガタツキなく挟持することができるようになっている。また、分岐部７２ａは、複数（この実施例では２つ）の連通孔７４が形成されている。
【００４３】
そして、これらの受風部３、送風部４、下側取付具６、及び上側取付具７を組み付けてなる換気用付加装置１が図６に示されている。
【００４４】
この換気用付加装置１の組み付けでは、例えは送風部４の側板４２、４３間に連接口４５から受風部３の連接口３５側の部位（ガイド板３１の下流側部位３１ｂを有する部位）を差し込んでゆき、受風部３の連通孔３６と送風部４の連通孔４６とが連通した状態とした後、下側取付具６の立板６１、６２を送風部４の側板４２、４３の両外側に外装してゆき、下側取付具６の立板６１、６２の連通孔６４を受風部３の連通孔３６、送風部４の連通孔４６と連通した状態とする。
【００４５】
次に、これら連通孔３６、４６、連通孔６４に連結具８のボルト８１を挿通させ、ボルト８１にその開放端から連結具８のナット８２を外装することで、受風部３と送風部４と下側取付具６との組み付けがまず行われる。この実施例では、ボルト８１は、最も内側に位置する受風部３の連通孔３６側から挿通されて、送風部４の連通孔４６を経て下側取付具６の立板６１、６２の外側の側面から突出した部位にナット８２が外装されるようになっている。
【００４６】
更に、この換気用付加装置１の組み付けでは、下側取付具６の連接板６３の上面に上側取付具７の台座７１を載せ、下側取付具６の連接板６３の連通孔６５と上側取付具７の台座７１の連通孔７３と連通した状態とする。そして、これら連通孔６５、連通孔７３に連結具９のボルト９１を挿通させ、ボルト９１にその開放端から連結具９のナット９２を外装することで、下側取付具６と上側取付具７との組み付けも行われて、導入口３４、送出口４４を備え、導入口３４から導入された風を送出口４４から送出するために案内するガイド板３１、４１を備えた換気用付加装置１が完成する。この実施例では、ボルト９１は、下面側（送風部４側）から台座７１の連通孔７３に挿通されて、台座７１の上面（送風部４とは反対側の面）から突出した部位にナット９２が外装されるようになっている。
【００４７】
換気用付加装置１の頂部構造体１０２への取り付け及び、頂部構造体１０２への取り付け後の導入口３４から導入された風を送出口４４から送出するために案内するガイド板３１、４１の角度を調整する工程について以下に説明する。
【００４８】
換気用付加装置１の頂部構造体１０２への取り付けは、換気用付加装置１を頂部構造体１０２に対し下方から接近させて、上側取付具７の延出部７２と分岐部７２ａとで頂部構造体１０２の板状部材１０３の側板部１０３ｂ、１０３ｃ、板状部材１０４又は板状部材１０５のうち風向きが好適なものの下端を挟持した後、連結具１０であるボルトを分岐部７２ａの連通孔７４に挿通させ、ボルト１０の挿入端で板状部材１０３の側板部１０３ｂ、１０３ｃ、板状部材１０４又は板状部材１０５を延出部７２側に押圧することで、上側取付具７は頂部構造体１０２に固定されて行われる。
【００４９】
次に、ガイド板３１、４１の角度を上下方向にて調整する工程の一例について図７を用いて説明すると、例えば図７（ａ）の２点鎖線に示されるように、換気用付加装置本体２が略水平状態で下側取付具６に連結具８を介して連結されている場合には、連結具８を緩めて、換気用付加装置本体２が連結具８を中心に揺動自在となるようにした後、図７（ａ）の実線に示されるように、受風部３の導入口３４側が下方、送風部４の送出口４４側が上方に向くよう、換気用付加装置本体２を図７（ａ）の矢印方向に揺動させる。
【００５０】
更に、送風部４の送出口４４側の傾斜角度が不十分な場合等には、図７（ｂ）に示されるように、送風部４の送出口４４側が更に上方に向くよう、送風部４のみを連結具８を中心として図７（ｂ）の矢印方向に揺動させる。尚、頂部構造体１０２の構造や設置条件等によっては、送風部４の送出口４４側が下方に向くよう、送風部４のみを図７（ｂ）の矢印方向とは反対方向に揺動させる場合もある。
【００５１】
これにより、図７（ｃ）の矢印に示されるように、受風部３の導入口３４から導入された風は、受風部３の傾斜したガイド板３１を登って導入口３４とは反対側の連接口３５に至り、連接した送風部４の連接口４５から送風部４内に入った後、送風部４のガイド板３１よりも傾斜したガイド板４１を登って送出口４４から頂部構造体１０２内に送出される。
【００５２】
尚、図７（ｂ）において送風部４のみを揺動させると説明したが、受風部３の導入口３４側の傾斜角度が不十分な場合等には、図示しないが、受風部３のみを導入口３４が下方を向くように又は上方を向くように連結具８を中心として揺動させても良い。
【００５３】
これにより、送風部４の送出口４４側の傾斜角度や受風部３の導入口３４側の傾斜角度の微調整を容易に行うことができる。そして、送風部４の送出口４４側の傾斜角度や受風部３の導入口３４側の傾斜角度の調整が完了したら、連結具８を改めて締め直して換気用付加装置本体２の下側取付具６に対するガタツキを防止する。
【００５４】
更に、ガイド板３１、４１の角度を左右方向にて調整する工程の一例について図８を用いて説明すると、例えば換気用付加装置本体２が頂部構造体１０２の面に対し略直交する方向となるように、下側取付具６と上側取付具７とが連結具９で連結されている場合には、連結具９を緩めて、換気用付加装置本体２が連結具９を中心に左右方向（上方から見て時計回り、反時計回りの方向）に揺動可能とする。そして、受風部３の導入口３４から導入された風の方向を図８上の右側に変更したい場合には、図８の実線の矢印に示されるように、連結具９を中心として時計回りに換気用付加装置本体２を揺動させれば良い。
【００５５】
尚、受風部３の導入口３４から導入された風の方向を、図８上の左側に変更したい場合には、図示しないが、連結具９を中心として反時計回りに換気用付加装置本体２を揺動させれば良い。
【００５６】
これにより、例えば頂部構造体１０２に対し直交する方向に流れてきた風について、図８の一点鎖線の矢印に示されるように、導入口３４から換気用付加装置本体２に入ると右に向きを変えて、送出口４４から右方向に向けて流れるようにしたり、図示しないが、導入口３４から換気用付加装置本体２に入ると左に向きを変えて、送出口４４から左方向に向けて流れるようにしたりすることが可能となる。そして、換気用付加装置本体２の時計回り又は反時計回りの揺動が完了したら、連結具９を改めて締め直して下側取付具６の上側取付具７に対するガタツキを防止する。
【００５７】
最後に、送風部４であるが、図３（ａ）に示されるように、連接口４５の横幅と送出口４４の横幅とが同じ構成の場合に限定されない。図９（ａ）に示されるように、送出口４４の横幅を連接口４５の横幅よりも大きく且つその幅の差も大きくして、送出口４４から送出される風が相対的に広範囲に拡散されるようにしても、図９（ｂ）に示されるように、送出口４４の横幅を連接口４５の横幅よりも大きくするがその幅の差は小さくして、送出口４４から送出される風が相対的に少しの範囲で拡散されるようにしても良い。また、図９（ｃ）に示されるように、反対に、送出口４４の横幅を連接口４５の横幅よりも小さくして、送出口４４から送出される風が集束されるようにしても良い。更に、図９（ｄ）に示されるように、送出口４４を複数（この実施例では２つ）に分けて、送出口４４から送出される風を分散させるようにしても良い。
【符号の説明】
【００５８】
１  換気用付加装置
２  換気用付加装置本体
３  受風部
３１  ガイド板
３４  導入口
３７  ミラーシール
４  送風部
４１  ガイド板
４４  送出口
４６  連通孔
５  取付機構
６  下側取付具（第２の取付具）
７  上側取付具（第１の取付具）
８  連結具
９  連結具
９１  ボルト
９２  ナット
１０  連結具
１００  送電鉄塔
１０１  頂部
１０２  頂部構造体
【図１】
2014228187.tif 000003
【図２】
2014228187.tif 000004
【図３】
2014228187.tif 000005
【図４】
2014228187.tif 000006
【図５】
2014228187.tif 000007
【図６】
2014228187.tif 000008
【図７】
2014228187.tif 000009
【図８】
2014228187.tif 000010
【図９】
2014228187.tif 000011